(57)【特許請求の範囲】
【請求項１】
遊技媒体を使用した遊技により入賞が発生したときに所定個数の遊技媒体を払い出すように構成され、その遊技時に入賞率を通常時より高めた第１の入賞口への入賞による第１の大当たり状態及び第２の入賞口への入賞による第２の大当たり状態が同時期に発生可能で尚且つそれら同時期に発生した各大当たり状態が並行して進行する遊技機に係る稼動データを各遊技機別に区分して集計管理する遊技場用データ管理システムにおいて、
前記遊技機において全大当たり回数のうち、前記第１の大当たり状態及び前記第２の大当たり状態が重複する割合、前記第１の大当たり状態中に前記第２の大当たり状態が発生する割合、及び前記第２の大当たり状態中に前記第１の大当たり状態が発生する割合を演算すると共に、その演算結果を同時発生割合データとして出力するデータ出力手段を備え、
前記データ出力手段は、重複形態が前記第１の大当たり状態及び前記第２の大当たり状態がそれぞれ単独で発生している期間が存在する第１の重複形態であるか或いは前記第２の大当たり状態が単独で発生している期間が存在しない第２の重複形態であるかを分類すると共に、その分類結果を大当たりの発生状態として出力することを特徴とする遊技場用データ管理システム。
【発明の詳細な説明】
【技術分野】
【０００１】
本発明はパチンコ遊技機やスロットマシンのように、遊技媒体を使用した遊技により入賞が発生したときに所定個数の遊技媒体を払い出すように構成された遊技機、特には、その遊技時に入賞率を通常時より高めた第１の大当たり状態及び第２の大当たり状態が同時期に発生可能で尚且つそれら同時期に発生した各大当たり状態が並行して進行する遊技機に係る稼動データを各遊技機別に区分して集計管理するための遊技場用データ管理システムに関する。
【背景技術】
【０００２】
近年では、特許文献１及び特許文献２などに見られるように、始動入賞口へのパチンコ玉の入賞に応じて行われる抽選動作の結果が当たりであった場合に大当たり状態を呈する第１種パチンコ遊技機と、始動チャッカー（始動入賞口）へのパチンコ玉の入賞により羽根が短時間だけ開き、その中にあるＶゾーンにパチンコ玉が入賞したときに大当たり状態を呈する第２種パチンコ遊技機（所謂ハネモノ）とを融合した形態のパチンコ遊技機（複合パチンコ遊技機）が提案されている。この他にも、第１種パチンコ遊技機若しくは第２種パチンコ遊技機と第３種パチンコ遊技機（所謂権利物）とを融合した形態、或いは同一種のパチンコ遊技機を融合した形態（例えば、第１種パチンコ遊技機の大当たり機能を２台分備えた形態）など、種々の形態の複合パチンコ遊技機が考えられている。
【０００３】
特に、風営法が来年（２００４年）１月に改正され７月から施行される予定だが、その法改正により従来の第１種、第２種といった遊技機種別が撤廃されるため、このような複合パチンコ遊技機が実際に遊技店に設置される日は遠くないと予想される。
一方、従来では、特許文献３に見られるように、大当たり状態が発生してから次の大当たり状態が発生するまでの期間のゲーム回数（始動入賞口への入賞回数）が所定回数以内の場合は所謂連チャン状態と判断し、その連チャン回数を台端末装置に表示することが行われているが、このような連チャン状態の発生の有無の判断や連チャン回数の表示は、従来の遊技場用データ管理システムにおいて、複合パチンコ遊技機が管理対象となった場合でも行うことが可能である。
【特許文献１】特開２０００−３３１４１号公報
【特許文献２】特開２００３−６２２１５号公報
【特許文献３】特開２００１−３４６０１７号公報
【発明の開示】
【発明が解決しようとする課題】
【０００４】
例えば２種類の大当たり状態が設定された複合パチンコ遊技機にあっては、一方の大当たり状態が発生した期間に他方の大当たり状態が発生可能な形態のものが存在することになる。このような形態の複合パチンコ遊技機を管理対象とする場合には、大当たり状態が同時期に発生する割合を算出し、その算出結果をパチンコ遊技機の遊技特性の調整（釘調整）を行う際の指標データに組み込むことが望ましく、また当該同時発生割合データを遊技客に報知することにより、当該データを遊技対象のパチンコ遊技機を選択する際の指標として提供したり、パチンコ遊技機での遊技に対する興趣の向上を図ったりすることが望ましいと考えられる。しかしながら、従来の遊技場用データ管理システムでは、２以上の大当たり状態が発生可能な複合パチンコ遊技機において、大当たり状態が同時期に発生する割合を算出する機能が全く考えられていないという事情があった。
【０００５】
本発明は上記事情に鑑みてなされたものであり、２以上の大当たり状態が発生可能なパチンコ遊技機が管理対象であった場合に、各大当たり状態が同時期に発生する割合を示すデータを算出することにより、遊技機の遊技特性の調整や遊技機での遊技機に対する興趣向上などに有益となる遊技場用データ管理システムを提供することにある。
【課題を解決するための手段】
【０００６】
請求項１記載の発明は、上記目的を達成するために、遊技媒体を使用した遊技により入賞が発生したときに所定個数の遊技媒体を払い出すように構成され、その遊技時に入賞率を通常時より高めた第１の入賞口への入賞による第１の大当たり状態及び第２の入賞口への入賞による第２の大当たり状態が同時期に発生可能で尚且つそれら同時期に発生した各大当たり状態が並行して進行する遊技機に係る稼動データを各遊技機別に区分して集計管理する遊技場用データ管理システムにおいて、
前記遊技機において全大当たり回数のうち、前記第１の大当たり状態及び前記第２の大当たり状態が重複する割合、前記第１の大当たり状態中に前記第２の大当たり状態が発生する割合、及び前記第２の大当たり状態中に前記第１の大当たり状態が発生する割合を演算すると共に、その演算結果を同時発生割合データとして出力するデータ出力手段を備え、前記データ出力手段は、重複形態が前記第１の大当たり状態及び前記第２の大当たり状態がそれぞれ単独で発生している期間が存在する第１の重複形態であるか或いは前記第２の大当たり状態が単独で発生している期間が存在しない第２の重複形態であるかを分類すると共に、その分類結果を大当たりの発生状態として出力する構成としたものである。
【発明の効果】
【００１２】
請求項１記載の発明によれば、遊技機に係る稼働データを各遊技機別に区分して集計管理するためのシステムに設けられたデータ出力手段は、遊技機において第１及び第２の大当たり状態が同時期に発生する割合を演算すると共に、その演算結果を同時発生割合データとして出力する。従って、このように出力された同時発生割合データに基づいて、遊技機の遊技特性の調整などを的確に行うことが可能になる。また、遊技機において大当たり状態が同時期に発生する割合を遊技客に対し報知可能となるから、遊技客側では、その報知内容を遊技対象の遊技機を選択する際の指標として利用できると共に、遊技機での遊技に対する興趣の向上も期待できるようになる。
【発明を実施するための最良の形態】
【００１８】
（第１の実施の形態）
以下、本発明の第１実施例について図１ないし図９を参照しながら説明する。
図２にはパチンコ遊技機の正面外観が概略的に示されている。この図２において、パチンコ遊技機１は、その上皿２内のパチンコ玉を電動式の玉発射機構（操作ダイヤルのみ符号３を付して示す）により盤面４へ発射する構成となっている。盤面４には、アウト口５、第１スタート入賞口６、第２スタート入賞口７ａ及び７ｂ、一般的にアタッカーと呼ばれている電動役物８ａを備えた大型入賞口８、複合役物９が設けられていると共に、図示しない通常入賞口も設けられている。
【００１９】
複合役物９は、第２種パチンコ遊技機（所謂ハネモノ）の機能を実現するためのセンター役物１０内に、第１種パチンコ遊技機（所謂セブン機）の機能を実現するための図柄表示部１１を配置した構成となっている。
図３には上記複合役物９が拡大した状態で示されており、以下この図３に基づいて複合役物９の構成を説明する。即ち、複合役物９を構成するセンター役物１０は、入賞領域を囲んだ形態の枠状部１０ａの左右両側に常時において当該入賞領域を閉鎖するように配置された一対の羽根１０ｂを備えており、その羽根１０ｂが図中に二点鎖線で示すように拡開されたときに入賞領域へのパチンコ玉の入賞が可能な状態となる。また、入賞領域の底部は、中央部に形成されたＶゾーン１０ｃと当該Ｖゾーン１０ｃ以外の部分を占める通常入賞口１０ｄとに区分されており、そのＶゾーン１０ｃをパチンコ玉が通過したときに第２大当たり条件が成立する。
【００２０】
即ち、センター役物１０にあっては、第２スタート入賞口７ａ或いは７ｂへのパチンコ玉の入賞を動作開始契機として羽根１０ｂを短時間（例えば１秒）だけ拡開する動作を実行する構成となっており、その拡開期間に枠状部１０ａにより囲まれた入賞領域に入賞したパチンコ玉がＶゾーン１０ｃを通過した場合に第２大当たり条件が成立することになる。この第２大当たり条件が成立した状態では、羽根１０ｂが比較的長い時間ずつ所定回数だけ拡開されるものであり、これに応じて入賞領域への入賞率が通常時より大幅に高められた第２の大当たり状態（以下これを第２種大当たりと呼ぶ）を呈する。このような第２種大当たりが発生したときの平均的な差玉数は、例えば１２００個前後となるように構成される。尚、上記第２種大当たりにある期間には、第２スタート入賞口７ａ或いは７ｂにパチンコ玉が入賞した場合でも羽根１０ｂの短時間拡開動作が行われることはない。
【００２１】
上記入賞領域には、パチンコ玉の通過経路をランダムにするための複数のスタッド１０ｅが立設されている。また、センター役物１０の枠状部１０ａにおいて、羽根１０ｂの基端部に対応した各部位にワープルート入口１０ｆが設けられていると共に、入賞領域の入口に対応した両側部位にワープルート出口１０ｇが設けられており、羽根１０ｂの拡開時にワープルート入口１０ｆにパチンコ玉が進入したときは、そのパチンコ玉がワープルート出口１０ｇから入賞領域の中央に向けて放出されてＶゾーン１０ｃへの入賞確率が高くなるように構成されている。
【００２２】
一方、図柄表示部１１は、第１スタート入賞口６へのパチンコ玉の入賞に応じて行われる所定確率の抽選動作の結果を表示するためのもので、図２及び図３では、３桁の数字列より成るルーレットを表示する例が示されている。即ち、図柄表示部１１は、第１スタート入賞口６へのパチンコ玉の入賞に応じてルーレットの変動表示（本実施例の場合、数字列の各桁の「０」〜「９」の範囲での変動表示）を開始する構成、つまり、第１スタート入賞口６へのパチンコ玉の入賞が動作開始契機となるように構成されたものであり、上記抽選動作の結果が大当たりであったときにはその変動終了時点で数字列が「１１１」、「２２２」、…のようなぞろ目図柄（大当たり図柄）となるように制御される。
【００２３】
このようにぞろ目図柄が表示された状態は、第１大当たり条件が成立した状態に相当する。そして、第１大当たり条件が成立したときには、大型入賞口８の電動役物８ａ（アタッカー）が予め決められたモードにて所定期間だけ開放され、以て当該入賞口８への入賞率が極端に高められた第１の大当たり状態（以下これを第１種大当たりと呼ぶ）を呈するものである。このような第１種大当たりが発生したときの平均的な差玉数は、例えば１８００個前後となるように構成される。
【００２４】
この場合、本実施例によるパチンコ遊技機１では、第１種大当たり及び第２種大当たりの同時期に発生可能で尚且つそれら同時期に発生した各大当たりが並行して進行する構成となっている。
また、第１スタート入賞口６へのパチンコ玉の入賞が、図柄表示部１１の変動表示期間、第１種大当たり或いは第２種大当たりにある期間中に発生した各場合には、その入賞に応じた抽選結果の表示が保留される。そして、このように保留された抽選結果の表示動作は、図柄表示部１１の変動表示の終了、第１種或いは第２種大当たりの終了を待って行われるものであり、以て当該表示保留状態が解除される構成となっている。このような抽選結果の表示の一時的な保留数（所謂保留玉数）は所定の上限値（例えば「４」）に制限されており、当該保留玉数を表示するために、図柄表示部１１の上方に発光ダイオードを利用した保留玉表示部１１ａが設けられている。
【００２５】
このように構成されたパチンコ遊技機１には、以下に述べるような各信号を外部へ出力する機能が設けられている。
即ち、パチンコ遊技機１は、打込パチンコ玉数を示すアウト玉数信号、並びに賞球として払い出されたパチンコ玉の数を示すセーフ玉数信号を出力する構成となっている。また、パチンコ遊技機１は、図柄表示部１１による図柄変動動作の実行（以下、これを第１スタートと呼ぶ）毎に第１スタート信号を出力し、第２スタート入賞口７ａ或いは７ｂへのパチンコ玉の入賞に応じた羽根１０ｂの短時間拡開動作の実行（以下、これを第２スタートと呼ぶ）毎に第２スタート信号を出力する構成となっており、さらに、第１種大当たり及び第２種大当たりにある各期間に第１大当たり信号及び第２大当たり信号をそれぞれ出力する構成となっている。尚、本実施例のパチンコ遊技機１は、第１種大当たりにある期間に第１大当たり信号を継続的に出力すると共に、第２種大当たりにある期間に第２大当たり信号を継続的に出力する構成となっている。
【００２６】
図１には、本実施例によるパチンコホール用管理システムの概略的構成が本発明の要旨に関係した部分のみ示されている。この図１において、パチンコホール内に多数台ずつ設置されたパチンコ遊技機１及び台間玉貸機１２は、互いの間で信号の授受を行い得るように構成されている。パチンコ遊技機１の上方には呼出ランプユニット１３が設けられており、当該パチンコ遊技機１は、呼出ランプユニット１３（データ表示装置に相当）を介して入出力装置１４と接続され、台間玉貸機１２はパチンコ遊技機１及び呼出ランプユニット１３を介して入出力装置１４に接続されている。尚、パチンコ遊技機１から入出力装置１４には、前述したアウト玉数信号、セーフ玉数信号、第１スタート信号、第２スタート信号、第１大当たり信号、第２大当たり信号などが出力される。
【００２７】
台間玉貸機１２は、プリペイドカード挿入口１２ａに図示しないプリペイドカードが挿入された状態で当該プリペイドカードに記憶された残高金額データの範囲内でパチンコ玉を放出（貸出）するＣＲ機（カードリーダ機）としての機能を備えたものである。この場合、各台間玉貸機１２から入出力装置１４には、プリペイドカードによる売上を示す売上信号などが出力される。
【００２８】
呼出ランプユニット１３は、複数の表示ランプ１３ａ、例えば液晶パネルより成るデータ表示部１３ｂ、呼出ボタン１３ｃなどを備えた周知構成のもので、呼出ボタン１３ｃの操作に伴う呼び出し状態の表示機能、対応するパチンコ遊技機１で発生した大当たり状態などを表示する機能、パチンコ遊技機１での稼動データに基づいて作成した遊技客向けデータ（大当たり発生回数など）を表示する機能（これについては後述する）、パチンコ遊技機１及び台間玉貸機１２のためのデータ入出力インタフェースの機能などを備えている。
【００２９】
入出力装置１４は、店内ＬＡＮ１５に接続されており、この店内ＬＡＮ１５には、パチンコホールの管理事務所内に設置された管理コンピュータ１６（データ出力手段に相当）が接続されている。また、図示しないが、店内ＬＡＮ１５には、景品交換カウンタに設置されたＰＯＳ端末及び島端に設置されたパチンコ玉計数機なども接続される。
【００３０】
管理コンピュータ１６は、パチンコ遊技機１及び台間玉貸機１２から出力される種々の信号（アウト玉数信号、セーフ玉数信号、第１スタート信号、第２スタート信号、第１大当たり信号、第２大当たり信号、売上信号など）に基づいて、パチンコ遊技機１についての稼動データ（アウト玉数（打込パチンコ玉数）、セーフ玉数、差玉数、稼動率、出玉率、ベース、センター役物１０及び図柄表示部１１の各スタート回数（第１スタート回数、第２スタート回数）、第１種大当たり及び第２種大当たりの各発生回数など）、並びに台間玉貸機１２についての貸出高データ（売上金額、割数など）を集計して格納するという周知のデータ集計機能を備えた構成となっている。
【００３１】
また、管理コンピュータ１６は、上記のようなデータ集計機能の他に、本発明の要旨に関係した大当たり履歴データの作成及び出力機能を備えており、以下においては、その機能について図４ないし図９も参照しながら説明する。
図４（ａ）、（ｂ）には、当該パチンコ遊技機１での第１大当たり信号及び第２大当たり信号の出力タイミングの一例が示されている。具体的には、図４（ａ）には、第１大当たり信号が４回出力され且つ第２大当たり信号が５回出力された場合、つまり、第１種大当たりが４回発生し、第２種大当たりが５回発生した場合について示されており、図４（ｂ）には、同図（ａ）中の期間Ｐ１について、その時間軸を拡大した状態で示されている。また、図４中には、各信号の出力順（各大当たりの発生順）に通し番号「１」〜「９」が付されている。
【００３２】
尚、図４（ａ）に示した通し番号「７」に対応した第１大当たり信号は、所謂確変を伴った第１種大当たりが発生したときの信号であり、確変が伴っているか否かの判断は、例えば、図柄表示部１１の表示図柄に基づいて行うことができる。また、これ以外にも、第１種大当たりの発生時において所謂時短が伴っているか否かの判断についても、図柄表示部１１の表示図柄に基づいて行うことができる。
【００３３】
この例では、図４（ｂ）から理解できるように、通し番号「２」に対応した第１種大当たりと通し番号「３」に対応した第２種大当たりとが重複して発生し、通し番号「５」に対応した第１種大当たりと通し番号「６」に対応した第２種大当たりとが重複して発生している。この場合、第１種大当たりの継続時間の方が第２種大当たりの継続時間より長くなるという一般的事情があるため、各大当たりの重複形態が以下に述べる２種類発生することになる。
【００３４】
（１）第１の重複形態
図４（ｂ）に示すように、時刻ｔ１に発生した第１種大当たりが終了する時刻ｔ３以前の時刻ｔ２に第２種大当たりが発生し、その第２種大当たりの終了時刻ｔ４が第１種大当たりの終了時刻ｔ３以降になる重複形態、つまり、第１種及び第２種大当たりがそれぞれ単独で発生している期間が存在する重複形態。尚、図示しないが、第２種大当たりの発生後に第１種大当たりが重複して発生した場合（この場合には、両者の継続時間の関係から第２種大当たりの終了後に第１種大当たりが終了することになる）も、この第１の重複形態に分類される。
【００３５】
（２）第２の重複形態
図４（ｂ）に示すように、第１種大当たりの発生期間（時刻ｔ７〜ｔ１０）内に第２種大当たりの発生（時刻ｔ８）及び終了（時刻ｔ９）が収まる重複形態、つまり、第２種大当たりが単独で発生している期間が存在しない重複形態。
本実施例では、上記第１の重複形態を単に「重複」と呼び、上記第２の重複形態を「吸収」と呼ぶことにする。尚、図４（ａ）に示した通し番号「７」に対応した第１大当たり信号は、所謂確変を伴った第１種大当たりが発生したときの信号であり、確変或いは時短が伴っているか否かの判断は、前記第１実施例で述べた手段で行うことができる。
【００３６】
管理コンピュータ１６には、前述のデータ集計機能により得た稼動データ、並びにパチンコ遊技機１から与えられる第１及び第２大当たり信号に基づいて各パチンコ遊技機１に係る大当たり履歴データを作成して出力する機能が設けられているが、本実施例では、その作成・出力形態として第１のデータ作成モード、第２のデータ作成モード及び第３のデータ作成モードが設定されている。そこで、以下においては、第１、第２及び第３のデータ作成モードについて、図４のようなタイミングで第１大当たり信号及び第２大当たり信号を出力したパチンコ遊技機１を対象にして説明する。
【００３７】
（１）第１のデータ作成モード
第１のデータ作成モードでは、パチンコ遊技機１において第１種及び第２種大当たりの何れかが発生するまでの期間の稼動データ並びに当該大当たり期間中の稼動データに基づいて各回の大当たり履歴データを作成し、第１種及び第２種大当たりの双方についての大当たり履歴データを発生順に並べると共に、これに他の所定のデータを付け加えた状態の複合データとして出力する。
【００３８】
具体的には、各大当たり履歴データは、大当たりの発生時刻、大当たりの種類（第１種及び第２種の区別）、大当たりの発生状態（「重複」、「吸収」、「確変」、「時短」の区別）、大当たり間アウト（その種類に関係なく大当たりが新たに発生するまでの期間のアウト玉数）、大当たり間差玉（その種類に関係なく大当たりが新たに発生するまでの期間の差玉数）、大当たり間スタート（直前の同一種類の大当たりが発生してから該当大当たりが発生するまでの期間のスタート回数（第１スタート回数及び第２スタート回数）：但し、営業開始後に最初に発生した大当たりについては、営業開始後から該当大当たりが発生するまでの期間のスタート回数）、大当たり中差玉（１回の大当たり期間中の差玉数）、大当たり中アウト（１回の大当たり期間中のアウト玉数）、持ち玉（大当たりが終了した時点での遊技客側の持ち玉数）を組み合わせたデータであり、プリンタを通じた印字出力或いはディスプレイを通じた表示出力として提供される。
【００３９】
図５には、図４のようなタイミングで第１大当たり信号及び第２大当たり信号を出力したパチンコ遊技機１に対応した複合データを、当該図４中に示したタイミングＴにて作成した場合の例が示されている。
この図５において、複合データは、大当たりの発生順を示す通し番号（「１」〜「９」）と対応付けた状態で、各大当たり履歴データ（発生時刻、大当たりの種類、発生状態、大当たり間アウト、大当たり間差玉、大当たり間スタート（第１スタート回数及び第２スタート回数）、大当たり中差玉、大当たり中アウト、持ち玉）を記録すると共に、図４（ａ）中のタイミングＴでの大当たり間アウト、大当たり間差玉、大当たり間スタートを記録し、さらに、これらのデータに対し以下に述べるような「第１種合計」、「第２種合計」、「差玉比率」、「第１種平均」、「第２種平均」、「実スタート比率」、「平均スタート」、「平均スタート比率」、「全平均」、「同時発生割合」の各データを付け加えた形態となっている。
【００４０】
「第１種合計」……第１種大当たりが発生するまでの第１スタート回数及び現在時点までの第１スタート回数の合計データ、並びに第１種大当たりの発生に応じた大当たり中差玉についての合計データ、
「第２種合計」……第２種大当たりが発生するまでの第２スタート回数及び現在時点までの第２スタート回数の合計データ、並びに第２種大当たりの発生に応じた大当たり中差玉についての合計データ、
「差玉比率」……第１種大当たりの発生に応じた大当たり中差玉の合計と第２種大当たりの発生に応じた大当たり中差玉の合計との比率を示すデータ、
「第１種平均」……第１種大当たりに対応した大当たり間アウト、大当たり間差玉、第１スタート回数、大当たり中差玉についての第１種大当たり１回当たりの平均をそれぞれ示すデータ（但し、大当たり間アウト、大当たり間差玉についてのデータは、後述する第１種大当たり絞り込みデータの算出に応じて得られるものである）、
「第２種平均」……第２種大当たりに対応した大当たり間アウト、大当たり間差玉、第２スタート回数、大当たり中差玉についての第２種大当たり１回当たりの平均をそれぞれ示すデータ（但し、大当たり間アウト、大当たり間差玉についてのデータは、後述する第２種大当たり絞り込みデータの算出に応じて得られるものである）、
実スタート比率……「第１種平均」中の第１スタート回数と「第２種平均」中の第２スタート回数との比率を示すデータ、
平均スタート……大当たり間アウトの所定の単位数（１０００個）当たりの第１スタート回数の平均値（＝「第１種平均」中の第１スタート回数÷（「第１種平均」中の大当たり間アウト÷１０００））を示すデータ、並びに大当たり間アウト１０００個当たりの第２スタート回数の平均値（＝「第２種平均」中の第２スタート回数÷（「第２種平均」中の大当たり間アウト÷１０００））を示すデータ、
平均スタート比率……「平均スタート」中の第１スタート回数の平均値と第２スタート回数の平均値との比率を示すデータ、
「全平均」……第１種及び２種大当たりの発生に応じた大当たり間アウト、大当たり間差玉、第１スタート回数、第２スタート回数、大当たり中差玉の各平均をそれぞれ示すデータ、
「同時発生割合」……パチンコ遊技機１において第１種及び第２種大当たりが同時期に発生する割合（前記「重複」、「吸収」が発生する割合）であり、
「同時期に発生した大当たり回数」÷「全体の大当たり発生回数」×１００  ［％］
で得られる。従って、図４の例の場合には、２÷９×１００≒２２［％］になる。
【００４１】
（２）第２のデータ作成モード
第２のデータ作成モードでは、パチンコ遊技機１において第１種大当たりが発生するまでの期間の稼動データ並びに当該大当たり期間中の稼動データに基づいて第１大当たり履歴データを作成し、この第１大当たり履歴データを発生順に並べると共に、これに他の所定のデータを付け加えた状態の第１種大当たり絞り込みデータとして出力する。
【００４２】
上記第１大当たり履歴データは、基本的には、前述した大当たり履歴データと同様のものであり、大当たりの発生時刻、大当たりの種類、発生状態、大当たり間アウト（但し、この場合は第１種大当たりが新たに発生するまでの期間のアウト玉数）、大当たり間差玉（但し、この場合は第１種大当たりが新たに発生するまでの期間の差玉数であり、当該期間中に発生した第２種大当たり時の差玉数も計算の対象となる）、大当たり間スタート（第１スタート回数）、大当たり中差玉、大当たり中アウト、持ち玉を組み合わせたデータであり、プリンタを通じた印字出力或いはディスプレイを通じた表示出力として提供される。但し、本実施例では、第１種及び第２種大当たりが重複発生するパチンコ遊技機１が管理対象となっているため、第２種大当たりが発生している期間中のアウト玉（大当たり中アウト）を第１種大当たりが発生している期間の大当たり間アウトに加える必要があり、これに伴い、第１種大当たり絞り込みデータ中の大当たり間アウト並びに大当たり間差玉の値が前記複合データと異なる内容となる。
【００４３】
図６には、図４のようなタイミングで第１大当たり信号及び第２大当たり信号を出力したパチンコ遊技機１に対応した第１種大当たり絞り込みデータを、当該図４中に示したタイミングＴにて作成した場合の例が示されている。
この図６において、第１種大当たり絞り込みデータは、第１種大当たりの発生順を示す通し番号（「２」、「５」、「７」、「８」）と対応付けた状態で、各第１大当たり履歴データ（発生時刻、大当たりの種類、発生状態、大当たり間アウト、大当たり間差玉、大当たり間スタート（第１スタート回数）、大当たり中差玉、大当たり中アウト、持ち玉の組合せデータ）を記録すると共に、図４中のタイミングＴでの大当たり間アウト、大当たり間差玉、大当たり間スタートを記録し、さらに、これらのデータに対し前述した「第１種平均」データと、第１種大当たり絞り込みデータ独自の「同時発生割合」データを付け加えた形態となっている。
【００４４】
この場合の「同時発生割合」は、
「第１種大当たりが発生している期間に発生した第２種大当たりの回数」÷「第１種大当たりの発生回数」×１００  ［％］
で得られものであり、従って、図４の例の場合には、２÷４×１００＝５０［％］になる。
【００４５】
この第１種大当たり絞り込みデータ中の大当たり間アウトは、前述したように、第１種大当たりが新たに発生するまでの期間のデータであるが、本実施例のように、第１種及び第２種大当たりが重複発生するパチンコ遊技機１が管理対象の場合には、第１種大当たりが新たに発生するまでの期間の大当たり間アウトに対して、第２種大当たりが発生している期間中のアウト玉（大当たり中アウト）を加える必要がある。
【００４６】
具体的には、例えば、図６中の通し番号「２」に対応した大当たり間アウトは、前記複合データ（図５参照）中の通し番号「１」及び「２」に対応した各大当たり間アウト（＝３２００、１６２０）の合計に対し、同通し番号「１」に対応した大当たり中アウト（＝４６０）を加算した「５２８０」になる。
また、図６中の通し番号「５」に対応した大当たり間アウトは、以下のように算出される。即ち、この場合には、前回の第１種大当たりの発生後に第２種大当たりが重複して発生しているため、その重複期間を考慮した計算が必要になる。
【００４７】
具体的には、図５の複合データにおいて、通し番号「２」に対応した第１種大当たりでの大当たり中アウトは「５００」、これと重複発生した通し番号「３」に対応した第２種大当たりでの大当たり中アウトは「５４０」である。つまり、図４（ｂ）中に括弧書きで示すように、第１種大当たりにある期間（ｔ１〜ｔ３）での大当たり中アウトが「５００」、第２種大当たりにある期間（ｔ２〜ｔ４）での大当たり中アウトが「５４０」ということになる。ここで、同図中に括弧書きで示すように、第１種及び第２種大当たりの重複期間（ｔ２〜ｔ３）の大当たり中アウトが例えば「２２０」であった場合、大当たり中アウトは、第１種大当たりが単独発生している間（ｔ１〜ｔ２）において「２８０」、第２種大当たりが単独発生している期間にいて「３２０」となる。
【００４８】
また、図５から明らかなように、上記通し番号「３」に対応した第２種大当たりが終了してから通し番号「４」に対応した第２種大当たりが発生するまでの期間（ｔ４〜ｔ５）の大当たり間アウトは「２５８０」、当該第２種大当たりが終了してから通し番号「５」に対応した第１種大当たりが発生するまでの期間（ｔ６〜ｔ７）の大当たり間アウトは「１８６０」、上記第２種大当たりにある期間（ｔ５〜ｔ６）の大当たり中アウトは「４５０」であるから、通し番号「５」に対応した大当たり間アウトは、上記期間ｔ３〜ｔ４、ｔ５〜ｔ６の各大当たり中アウト（＝３２０、４５０）と、上記期間ｔ４〜ｔ５、ｔ６〜ｔ７の各大当たり間アウト＝２５８０、１８６０）とを加算した「５２１０」になる。
【００４９】
一方、第１種大当たり絞り込みデータ中の大当たり間差玉については、第２種大当たりが発生している期間中の差玉（大当たり中差玉）を加える必要がある。つまり、例えば、図６中の通し番号「２」に対応した大当たり間差玉は、図５中の通し番号「１」及び「２」に対応した各大当たり間差玉（＝−１９２０、−９７０）の合計に対し、同通し番号「１」に対応した大当たり中差玉（＝１１８０）を加算した「−１７１０」になる。また、図６中の通し番号「５」に対応した大当たり間差玉は、前述した図６中の通し番号「５」に対応した大当たり間アウトと同種の計算により求めることになり、この場合には「−６００」になる。
【００５０】
（３）第３のデータ作成モード
第３のデータ作成モードでは、パチンコ遊技機１において第２種大当たりが発生するまでの期間の稼動データ並びに当該大当たり期間中の稼動データに基づいて第２大当たり履歴データを作成し、この第２大当たり履歴データを発生順に並べると共に、これに他の所定のデータを付け加えた状態の第２種大当たり絞り込みデータとして出力する。
【００５１】
上記第２大当たり履歴データは、基本的には、前述した大当たり履歴データと同様のものであり、大当たりの発生時刻、大当たりの種類、発生状態、大当たり間アウト（但し、この場合は第２種大当たりが新たに発生するまでの期間のアウト玉数）、大当たり間差玉（但し、この場合は第２種大当たりが新たに発生するまでの期間の差玉数であり、当該期間中に発生した第１種大当たり時の差玉数も計算の対象となる）、大当たり間スタート（第２スタート回数）、大当たり中差玉、大当たり中アウト、持ち玉を組み合わせたデータであり、プリンタを通じた印字出力或いはディスプレイを通じた表示出力として提供される。但し、この第２種大当たり絞り込みデータにおいても、前記第１種大当たり絞り込みデータと同様に、大当たり間アウト並びに大当たり間差玉の値が前記複合データと異なる内容となる。
【００５２】
図７には、図４のようなタイミングで第１大当たり信号及び第２大当たり信号を出力したパチンコ遊技機１に対応した第２種大当たり絞り込みデータを、当該図４中に示したタイミングＴにて作成した場合の例が示されている。
この図７において、第２種大当たり絞り込みデータは、第２種大当たりの発生順を示す通し番号（「１」、「３」、「４」、「６」、「９」）と対応付けた状態で、各第２大当たり履歴データ（発生時刻、大当たりの種類、発生状態、大当たり間アウト、大当たり間差玉、大当たり間スタート（第２スタート回数）、大当たり中差玉、大当たり中アウト、持ち玉の組合せデータ）を記録すると共に、図４中のタイミングＴでの大当たり間アウト、大当たり間差玉、大当たり間スタートを記録し、さらに、これらのデータに対し前述した「第２種平均」データ、第２種大当たり絞り込みデータ独自の「同時発生割合」データを付け加えた形態となっている。
【００５３】
この場合の「同時発生割合」は、
「第２種大当たりが発生している期間に発生した第１種大当たりの回数」÷「第２種大当たり発生回数」×１００  ［％］
で得られものであり、従って、図４の例の場合には、０÷５×１００＝０［％］になる。
この第２種大当たり絞り込みデータ中の大当たり間アウトは、前述したように、第２種大当たりが新たに発生するまでの期間のデータであるが、本実施例のように、第１種及び第２種大当たりが重複発生するパチンコ遊技機１が管理対象の場合には、第２種大当たりが新たに発生するまでの期間の大当たり間アウトに対して、第１種大当たりが発生している期間中のアウト玉（大当たり中アウト）を加える必要がある。また、第２種大当たり絞り込みデータ中の大当たり間差玉については、第１種大当たりが発生している期間中の差玉（大当たり中差玉）を加える必要がある。このような計算は、前記第２のデータ作成モード中での説明と同様の手法により行うことができる。
【００５４】
一方、管理コンピュータ１６には、上記のような第１ないし第３のデータ作成モードで作成した複合データ、第１種大当たり絞り込みデータ、第２種大当たり絞り込みデータを所定日数分に渡って蓄積すると共に、その蓄積データを印字出力或いはディスプレイを通じた表示出力としてパチンコホール従業員に対し選択的に提供する機能の他に、データ出力機能が設定されている。このデータ出力機能は、上記蓄積データに基づいて作成した遊技客向けデータを呼出ランプユニット１３のデータ表示部１３ｂに表示することにより遊技客側に提供するというものであり、以下これについて説明する。
【００５５】
図８及び図９には、データ表示部１３ｂでの表示例が示されている。
即ち、図８は複合データ（図５参照）に基づいて作成した遊技客向けデータの表示例を示すものであり、
・当日の第１種大当たりの発生回数ａ、
・当日の確変及び時短の発生回数ｂ、
・当日の第２種大当たりの発生回数ｃ、
・複合データにより得られるパチンコ遊技機１全体の同時発生割合ｄ、
・前回の第１種大当たりの終了後から現在時点までの第１スタート回数ｅ（但し、第１種大当たりが未発生の時点では当日の営業開始時点から現在時点までの第１スタート回数）、
・前回の第２種大当たりの終了後から現在時点までの第２スタート回数ｆ（但し、第２種大当たりが未発生の時点では当日の営業開始時点から現在時点までの第２スタート回数）、
・前日の第１種大当たりの発生回数ｇ、
・前日の第２種大当たり発生回数ｈ、
・前々日の第１種大当たりの発生回数ｉ、
・前々日の第２種大当たりの発生回数ｊ、
がそれぞれ数値表示されると共に、第１及び第２スタート回数についてのスタート履歴グラフｋ、第１種大当たりについての所謂連チャン回数ｍが表示される。
【００５６】
スタート履歴グラフｋは、第１スタート回数及び第２スタート回数についての履歴を互いに識別可能な状態（例えば表示色を変えた状態）のデータセットから成る棒グラフにより表示したものであり、各データセットは、１目盛が１〜１００回に対応している。つまり、１目盛のみ表示された棒グラフはスタート回数が１〜１００回、２目盛表示された棒グラフはスタート回数が１０１〜２００回、３目盛表示された棒グラフはスタート回数が２０１〜３００回、……ということになる。
【００５７】
この場合、前回の該当大当たりの終了時点（若しくは営業開始時点）から現在時点までの間における第１スタート回数及び第２スタート回数が、「現在」の文字に対応付けて表示されると共に、新たに第１種大当たり或いは第２種大当たりが発生した時点までの各期間の該当スタート回数（第１スタート回数或いは第２スタート回数）についての過去５回分の履歴が、「１回前」、「２回前」、「３回前」、「４回前」、「５回前」の文字に対応付けて表示される。但し、確変（或いは時短）を伴った第１種大当たり及びこの確変（或いは時短）時に発生した第１種大当たり（つまり、連チャン状態）は、これを１回とカウントしており、当該確変（或いは時短）を伴った第１種大当たりが新たに発生するまでの期間の第１スタート回数について棒グラフ表示している。
【００５８】
つまり、図５の複合データの例では、通し番号「７」及び「８」の大当たり履歴データに対応した２回分の第１種大当たりが１回とカウントされるものであり、当該大当たりに対応した第１スタート回数は、「２回前」の履歴となる。この図５の例では、確変（或いは時短）を伴った第１種大当たりに係る通し番号「７」の大当たり履歴データにおける第１スタート回数は「１１８」であるから、「２回前」の文字に対応した棒グラフは２目盛が表示されることになる。
【００５９】
連チャン回数ｍは、「現在」、「１回前」、「２回前」、「３回前」、「４回前」、「５回前」の文字に対応付けた状態で数値表示されるものであるが、第２種大当たりについては確変や時短という概念がないので、「‐」が表示されることになる。尚、連チャン回数ｍ＝「０」は第１種大当たりが未発生であることを示し、連チャン回数ｍ＝「１」は第１種大当たりが単独発生したものであることを示す。
【００６０】
図９は第１種大当たり絞り込みデータ（図６参照）及び第２種大当たり絞り込みデータ（図７参照）に基づいて作成した遊技客向けデータの表示例を示すものであり、前記図８に示した遊技客向けデータと同じ内容の第１種大当たりの発生回数ａ、確変及び時短の発生回数ｂ、第２種大当たりの発生回数ｃ、パチンコ遊技機１全体の同時発生割合ｄ、第１スタート回数ｅ、第２スタート回数ｆがそれぞれ数値表示されると共に、第１スタート回数に絞った状態の第１スタート履歴グラフｎ、第１種大当たりについての連チャン回数ｐ、第２スタート回数に絞った状態の第２スタート履歴グラフｑ、第１種大当たり絞り込みデータにより得られる同時発生割合（第１種大当たりが発生している期間に第２種大当たりが発生する割合）ｄ１、第２種大当たり絞り込みデータにより得られる同時発生割合（第２種大当たりが発生している期間に第１種大当たりが発生する割合）ｄ２が表示される。
【００６１】
第１スタート履歴グラフｎは、第１スタート回数を棒グラフにより表示したものであり、その棒グラフの各データセットは、前記図８に示したスタート履歴グラフｋと同様に１目盛が１〜１００回に対応している。この場合、前回の第１種大当たりの終了時点（若しくは営業開始時点）から現在時点までの間における第１スタート回数が、「現在」の文字に対応付けて表示されると共に、新たに第１種大当たりが発生した時点までの各期間の第１スタート回数についての過去５回分の履歴が、「１回前」、「２回前」、「３回前」、「４回前」、「５回前」の文字に対応付けて表示される。但し、この第１スタート履歴グラフｎにおいても、連チャン状態を１回とカウントしており、当該連チャンの起点となった確変（或いは時短）を伴った第１種大当たりが新たに発生するまでの期間の第１スタート回数について棒グラフ表示している。
【００６２】
つまり、図６の第１種大当たり絞り込みデータの例では、通し番号「７」及び「８」の大当たり履歴データに対応した２回分の第１種大当たりが１回とカウントされるものであり、当該大当たりに対応した第１スタート回数は、「１回前」の履歴となる。この図６の例では、確変（或いは時短）を伴った第１種大当たりに係る通し番号「７」の大当たり履歴データにおける第１スタート回数は「１１８」であるから、「１回前」の文字に対応した棒グラフは２目盛が表示されることになる。また、連チャン回数ｐは、「現在」、「１回前」、「２回前」、「３回前」、「４回前」、「５回前」の文字に対応付けた状態で数値表示される。
【００６３】
第２スタート履歴グラフｑは、第２スタート回数を棒グラフにより表示したものであり、その棒グラフの各データセットは、前記第１スタート履歴グラフｎと同様に１目盛が１〜１００回に対応している。この場合、前回の第２種大当たりの終了時点（若しくは営業開始時点）から現在時点までの間における第２スタート回数が、「現在」の文字に対応付けて表示されると共に、新たに第２種大当たりが発生した時点までの各期間の第２スタート回数についての過去５回分の履歴が、「１回前」、「２回前」、「３回前」、「４回前」、「５回前」の文字に対応付けて表示される。
【００６４】
以上要するに、上記した第１実施例によれば、パチンコ遊技機１に係る稼働データ（アウト玉数、セーフ玉数、差玉数、第１スタート回数、第２スタート回数など）を各遊技機１別に区分して集計管理するために設けられた管理コンピュータ１６は、パチンコ遊技機１において第１種及び第２種大当たり状態が同時期に発生する割合（第１種及び第２種大当たりが同時期に発生する割合は勿論のこと、第１種大当たりが発生している期間に第２種大当たりが発生する割合、並びに第２種大当たりが発生している期間に第１種大当たりが発生する割合も含む）を演算すると共に、その演算結果である同時発生割合データを含む複合データ（図５参照）、第１種大当たり絞り込みデータ（図６参照）、第２種大当たり絞り込みデータ（図７参照）を、プリンタを通じた印字出力或いはディスプレイを通じた表示出力として提供する。従って、遊技場側では、このように提供される同時発生割合データに基づいて、パチンコ遊技機１の遊技特性の調整（釘調整）などを的確に行うことが可能になる。
【００６５】
また、パチンコ遊技機１と対応した位置には、管理コンピュータ１６により演算された同時発生割合データを遊技者側から目視可能な状態の遊技客向けデータとして表示するデータ表示部１３ｂを備えた呼出ランプユニット１３が設けられているから、遊技客側では、そのデータ表示部１３ｂでの表示内容を遊技対象のパチンコ遊技機１を選択する際の指標として利用できようになるなど、その利便性が向上すると共に、遊技に対する興趣の向上も図り得るようになる。
【００６６】
また、本実施例によれば、上述したような同時発生割合データが出力されるだけでなく、第１種及び第２種大当たりの双方についての種々の大当たり履歴データ（大当たり間アウト、大当たり間差玉、大当たり間スタート、大当たり中差玉など）を含んで成る複合データと、第１種大当たりについての種々の大当たり履歴データを含んで成る第１種大当たり絞り込みデータと、第２種大当たりについての種々の大当たり履歴データを含んで成る第２種大当たり絞り込みデータとを所定日数分に渡って蓄積すると共に、その蓄積データを印字出力或いはディスプレイを通じた表示出力として遊技場従業員に対し選択的に提供できる構成となっているから、パチンコ遊技機１における第１種及び第２種大当たりの傾向を遊技場側で正確に把握可能になり、以て遊技場の営業計画の立案やパチンコ遊技機１の調整作業などのために貢献できるようになる。
【００６７】
さらに、本実施例によれば、呼出ランプユニット１３のデータ表示部１３ｂに表示される遊技客向けデータには、前述した同時発生割合データの他に、上述のように所定日数分に渡って蓄積された複合データ、第１種大当たり絞り込みデータ、第２種大当たり絞り込みデータに基づいて作成した大当たり回数（当日、前日、前々日分）、スタータ回数（当日分）などについてのデータも表示される構成となっているから、遊技客側においてもパチンコ遊技機１における各大当たりの傾向をある程度把握することが可能になり、以て、遊技に対する興趣の向上ひいては遊技客の来店率の向上を図る上で有益になる。
【００６８】
（第２の実施の形態）
図１０には本発明の第２実施例が示されており、以下これについて前記実施例と異なる部分のみ説明する。
即ち、前記第１実施例で管理対象としたパチンコ遊技機１は、第１種大当たり及び第２種大当たりにある各期間に第１大当たり信号及び第２大当たり信号をそれぞれ出力する構成となっているため、各大当たりに係る稼働データの区分及び集計管理を、上記第１及び第２大当たり信号を利用して行うことができる。これに対して、２種類の大当たり状態が設定されているにも関わらず、大当たり信号が１種類しか出力されないパチンコ遊技機も存在する可能性があり、本実施例は、このようなパチンコ遊技機を管理対象とした場合に好適するものである。
【００６９】
本実施例では、第１実施例で説明したような第１種大当たり及び第２種大当たりが発生するように構成され、それら大当たりが発生した各期間に同一の大当たり信号が出力されるパチンコ遊技機を管理対象とした例について説明する。但し、ここでは、説明の便宜上、第１種及び第２種大当たりが同時期に発生可能であるが、各大当たりが同時には進行しない構成、つまり、第１種及び第２種大当たりが同時期に発生したときに、一方の大当たりが終了した後に他方の大当たりを実行する構成のパチンコ遊技機を想定することにする。
【００７０】
上記パチンコ遊技機においては、第１種大当たりが発生したときの平均的な差玉数は１８００個前後、第２種大当たりが発生したときの平均的な差玉数は１２００個前後である。また、第１種大当たり中の平均的なアウト玉数（打込玉数）は４００個前後、第２種大当たり中の平均的なアウト玉数は２５０個程度である。そこで、本実施例においては、大当たり信号が出力された期間（第１種大当たりまたは第２種大当たりの継続期間）における差玉数（大当たり中差玉）またはアウト玉数（大当たり中アウト）が予め設定された上限しきい値及び下限しきい値の範囲に収まっているか否かに基づいて、発生した大当たりの種類（第１種か第２種）を判定する構成となっている。
【００７１】
この場合、第１種大当たりについての大当たり中差玉の上限しきい値及び下限しきい値を例えば「２０００」及び「１６００」に設定し、第２種大当たりについての大当たり中差玉の上限しきい値及び下限しきい値を例えば「１４００」及び「５００」に設定する。また、第１種大当たりについての大当たり中アウトの上限しきい値及び下限しきい値を例えば「５００」及び「３００」に設定し、第２種大当たりについての大当たり中アウトの上限しきい値及び下限しきい値を例えば「３００」及び「１００」に設定する。
【００７２】
従って、大当たり信号が出力された場合に、これに伴う大当たり中差玉を監視し、最終的に、
１６００≦大当たり中差玉≦２０００
の状態となったときに第１種大当たりが発生したものと判定し、
５００≦大当たり中差玉≦１４００
の状態となったときに第１種大当たりが発生したものと判定することになる。
【００７３】
また、大当たり信号が出力された場合に、これに伴う大当たり中アウトを監視し、最終的に、
３００≦大当たり中アウト≦５００
の状態となったときに第１種大当たりが発生したものと判定し、
１００≦大当たり中アウト≦３００
の状態となったときに第２種大当たりが発生したものと判定することになる。
【００７４】
尚、第２種大当たりに係る大当たり中差玉及び大当たり中アウトの下限しきい値を、第２種大当たりにおける平均的な大当たり中差玉及び大当たり中アウト（「１２００」及び「２５０」に比べて大幅に小さな値に設定したのは、第２種大当たりの発生時に起こり易い所謂パンク時においても当該第２種大当たりの発生の有無を判定できるようにするためである。
【００７５】
図１０には、上記のような判定動作を説明するためのタイミングチャートが示されている。この図１０は、横軸がパチンコ遊技機の遊技に伴い増加するアウト玉数、縦軸が当該遊技に伴い変動する差玉数を示すものであり、図中のタイミングｔ１、ｔ２、ｔ４において第２種大当たりが発生し、タイミングｔ３、ｔ５において第１種大当たりが発生した場合の例が示されている。
【００７６】
この図１０において、ΔＹ１、ΔＹ２、ΔＹ４は第２種大当たりに係る大当たり中差玉、ΔＹ３、ΔＹ５は第１種大当たりに係る大当たり中差玉、ΔＸ１、ΔＸ２、ΔＸ４は第２種大当たりに係る大当たり中アウト、ΔＸ３、ΔＸ５は第１種大当たりに係る大当たり中アウトであり、これらのデータはパチンコ遊技機において第１及び第２の各大当たりが終了する毎にリアルタイムで集計できる。
【００７７】
このように集計された大当たり中差玉ΔＹ１〜ΔＹ５及び大当たり中アウトΔＸ１〜ΔＸ５を前記上限しきい値及び下限しきい値と比較することにより、発生した大当たりの種類を判定できるようになる。尚、図１０において、時刻ｔ２で発生した２回目の第２種大当たりは、その大当たり中差玉ΔＹ２及び大当たり中アウトΔＸ２が極端に少ないため、所謂パンクが発生したものと判断できることになる。
【００７８】
（その他の実施の形態）
その他、本発明は上記し且つ図面に示した実施例に限定されるものではなく、例えば以下に述べるような変形或いは拡大が可能である。
【００７９】
第１実施例においては、呼出ランプユニット１３のデータ表示部１３ｂに表示するデータ、特には同時発生割合データを管理コンピュータ１６で演算して当該データ表示部１３ｂに出力する構成となっているが、呼出ランプユニット１３に対して、パチンコ遊技機１からの稼動データに基づいて第１種及び第２種大当たりが同時期に発生する割合を演算する機能を付与し、このような演算結果をデータ表示部１３ｂに表示する構成としても良い。このような構成によれば、第１実施例で奏する効果を、呼出ランプユニットを設けるだけの簡単な構成で実現できるようになる。
【００８０】
上記各実施例では、第１種大当たりの契機となる第１スタート入賞口６並びに第２種大当たりの契機となる第２スタート入賞口７ａ、７ｂを個別に設ける構成としたが、これらを一つのスタート入賞口により兼用する構成としても良い。この場合には、例えば、兼用スタート入賞口へのパチンコ玉の入賞タイミングや予め決められた順番などにより図柄表示部１１及びセンター役物１０の何れを動作開始させるか選択する手段を設けたり、或いは兼用スタート入賞口へのパチンコ玉の入賞に応じて動作する補助役物により図柄表示部１１及びセンター役物１０の何れを動作開始させるか選択する手段を設ける構成などが考えられる。但し、このような兼用スタート入賞口を設ける構成では、第１及び第２スタート回数データ及びこれに関連したデータは存在しなくなる。
【００８１】
管理コンピュータ１６において、遊技場内に設置された同一機種のパチンコ遊技機１についての同時発生割合データを平均した平均値データを出力する構成としても良く、この場合には、本発明の第３実施例を示す図１１のように、データ表示部１３ｂに表示する遊技客向けデータ（複合データ（図５参照）に基づく遊技客向けデータ）中に、同時発生割合データｄ（＝２２％）と上記平均値データｄ３（＝２５％）とを互いに比較可能な状態で表示する構成とすることができる。
このような構成によれば、パチンコ遊技機１において第１種及び第２種大当たりが同時期に発生する割合が平均的な値に比べてどの程度のレベルにあるかを、遊技者側で容易且つ正確に把握可能になり、その利便性が大幅に向上するようになる。
【００８２】
また、管理コンピュータ１６に対して、第１大当たり履歴データを同一機種のパチンコ遊技機１について平均した第１の平均大当たり履歴データを出力する機能、並びに第２大当たり履歴データを同一機種のパチンコ遊技機１について平均した第２の平均大当たり履歴データを出力する機能を付加する構成としても良い。この構成によれば、同一機種のパチンコ遊技機１についての第１の平均大当たり履歴データ及び第２の平均大当たり履歴データを、第１及び第２大当たり履歴データ（第１種大当たり絞り込みデータ（図６参照）、第２種大当たり絞り込みデータ（図７参照））の分析時においてその分析の目安となる標準的なデータとして利用できるようになり、以てパチンコ遊技機１で発生した各大当たりについてのデータ分析の信頼性を高め得るようになる。
【００８３】
第１の大当たり状態の例として第１種パチンコ遊技機に対応した大当たり状態（第１種大当たり）を挙げると共に、第２の大当たり状態の例として第２種パチンコ遊技機に対応した大当たり状態（第２種大当たり）を挙げたが、これに限られるものでない。例えば第３種パチンコ遊技機（所謂権利物）に設定された大当たり状態を第１の大当たり状態或いは第２の大当たり状態として適用する構成、同一種のパチンコ遊技機を融合した構成（例えば、第１種パチンコ遊技機の大当たり機能を２台分備えた構成）、３種類以上の大当たり状態が発生可能な構成など、種々の組合せが考えられる。
【００８４】
第２実施例において、大当たり信号が１種類しか出力されない場合に、大当たり中差玉または大当たり中アウトについて設定したしきい値を利用して２種類の大当たりを判別する例を挙げたが、これに限られるものではない。例えば、一方のしきい値の設定をさらに細かくすることにより、第２種大当たりの継続ラウンド数を特定できるようにしても良い。また、大当たり中差玉と大当たり中アウトの双方にしきい値を設けて発生する大当たりの種類を判別する構成としたが、どちらか一方のしきい値のみで判別する構成としても良いことは勿論、大当たり中セーフや大当たりの継続時間（大当たり信号が出力されている期間）にしきい値を設けて、発生する大当たりの種類や大当たりの継続ラウンド数を判別するようにしても良い。
【００８５】
本発明で管理対象とするパチンコ遊技機は、前記実施例で示した形式のものに限定される訳ではなく、例えば所謂封入式のパチンコ遊技機も管理対象とすることができる。その場合には、入賞に応じて付与される得点が、入賞に応じて払い出される遊技媒体数に該当することは勿論である。また、第１スタート入賞口６、第２スタート入賞口７ａ、７ｂは、パチンコ玉の入賞に応じて所定個数のパチンコ玉が払い出されるものに限らず、パチンコ玉の入賞によるパチンコ玉の払出を伴わない通過ゲート式のものも含む概念である。
本発明のシステムによる管理対象の遊技機をスロットマシンとすることも可能である。
【図面の簡単な説明】
【００８６】
【図１】本発明の第１実施例を示すシステム全体の概略的構成図
【図２】パチンコ遊技機の概略的な正面図
【図３】パチンコ遊技機の要部の拡大正面図
【図４】第１大当たり信号及び第２大当たり信号の出力パターン例を示すタイミングチャート
【図５】複合データの出力例を示す図
【図６】第１種大当たり絞り込みデータの出力例を示す図
【図７】第２種大当たり絞り込みデータの出力例を示す図
【図８】遊技客向けデータの表示例を示す図その１
【図９】遊技客向けデータの表示例を示す図その２
【図１０】本発明の第２実施例を示す作用説明図
【図１１】本発明の第３実施例を示す図８相当図
【符号の説明】
【００８７】
１はパチンコ遊技機、６は第１スタート入賞口、７ａ、７ｂは第２スタート入賞口、８は大型入賞口、８ａは電動役物、９は複合役物、１０はセンター役物、１０ｂは羽根、１０ｃはＶゾーン、１１は図柄表示部、１３は呼出ランプユニット（データ表示装置）、１３ｂはデータ表示部、１６は管理コンピュータ（データ出力手段）を示す。
【図１】
0004638141.tif 000002
【図２】
0004638141.tif 000003
【図３】
0004638141.tif 000004
【図４】
0004638141.tif 000005
【図５】
0004638141.tif 000006
【図６】
0004638141.tif 000007
【図７】
0004638141.tif 000008
【図８】
0004638141.tif 000009
【図９】
0004638141.tif 000010
【図１０】
0004638141.tif 000011
【図１１】
0004638141.tif 000012